Podtech/llm-jp-corpus-v4-ja_patent huggingface dataset:
(57)【要約】【課題】従来の二つの指輪を一体構造としたものを人差し指と中指に嵌めると人差し指と中指の間に環状部分があるため人差し指と中指の間に隙間ができて煙草が挟みやすくなるし、嵌めた時に圧迫感が生じるので、それを軽減して嵌めやすくしたい。【解決手段】二つのＣ形で傾斜の形状した指輪の開放側の一端を連結して、もう一端を開放状態にした一体構造のものは、人差し指と中指の間の環状部分が無く、掌側の環状部分は一部分開放した状態になり傾斜面を楕円形にした。【選択図】        図４
2005144125.tif 000002
【特許請求の範囲】
【請求項１】
左手用の図３と右手用の図４の様なＣ形で傾斜の形状した二つの指輪の開放側の一端を連結し、もう一端を開放状態したものを一体構造とした。
【請求項２】
左手用の図３と、右手用の図４の様に指輪を傾斜の形状にし、人差し指と中指に嵌める指輪の傾斜面を楕円形にして、嵌めやすくした。
【請求項３】
左手用の図６と、右手用の図８の様に、指輪の掌側の環状部分の一部分開放する事により、嵌めたときの圧迫感を軽減した。
【発明の詳細な説明】
【発明の詳細な説明】
【技術分野】
【０００１】  本発明は煙草の喫煙本数を必要最小限に抑えるための用具である。
【背景技術】
【０００２】  二つの指輪を一体構造としたものを右手又は左手の人差し指と中指に嵌めて煙草を挟めないようにして喫煙の煙草の本数を減らしてゆくものであった。
【発明が解決しようとする課題】
【０００３】  二つの指輪を一体構造としたものを人差し指と中指に嵌めると、指輪の環状部分が人差し指と中指の間にあるのでどうしても隙間ができてしまう。しかし煙草を挟み難くするのが重要なので、できるだけ隙間をなくし更に指輪を嵌めた時、人差し指と中指の圧迫感を軽減し嵌めやすくしたい。
【課題を解決するための手段】
【０００４】  左手用の図３と右手用の図４の様に人差し指と中指の間の環状部分を取り去る事により隙間を無くす事ができ掌側の環状部分を一部分開放し傾斜の形状にして傾斜面を楕円形にする事によって右手用又は左手用を人差し指と中指に嵌めた時に生ずる圧迫感を軽減し嵌めやすくした。
【実施例】
【０００５】  本発明品を右手又は左手の人差し指と中指に嵌めると従来の指輪より人差し指と中指の間の隙間が小さくなり煙草を一層挟みにくくなり喫煙する煙草の本数を減らす効果が大きくなる。また掌側の環状部分を一部分開放した事により指輪を嵌めた時に生じる圧迫感が軽減され指輪の形状を傾斜にして、傾斜面を楕円形にする事により嵌めやすくした。
【発明の効果】
【０００６】  左手用の図３又は右手用の図４のように傾斜の形状をした一体構造の指輪を嵌めると人差し指と中指の間に従来あった環状部分が無いため隙間が小さくなり煙草を挟めなくなり喫煙が出来ず喫煙の本数を減らすことができる。また左手用の図６及び右手用の図８のように掌側の環状部分を一部分開放することにより左手又は右手の人差し指、中指に嵌めた時に生ずる圧迫感を軽減した。それから指輪の形状を傾斜にし、その傾斜面を楕円形にする事により左手及び右手の人差し指、中指へ嵌めやすくした。
【図面の簡単な説明】
【図１】左手用の指輪を甲側より見た図である。
【図２】右手用の指輪を甲側より見た図である。
【図３】左手用の指輪の斜視図である。
【図４】右手用の指輪の斜視図である。
【図５】左手の人差し指と中指に嵌めて甲側より見た図である。
【図６】左手の人差し指と中指に嵌めて掌側より見た図である。
【図７】右手の人差し指と中指に嵌めて甲側より見た図である。
【図８】右手の人差し指と中指に嵌めて掌側より見た図である。
【符号の説明】
９・・・左手の中指
１０・・・左手の人差し指
１１・・・右手の中指
１２・・・右手の人差し指
【図１】
2005144125.tif 000003
【図２】
2005144125.tif 000004
【図３】
2005144125.tif 000005
【図４】
2005144125.tif 000006
【図５】
2005144125.tif 000007
【図７】
2005144125.tif 000008
【手続補正書】
【提出日】平成16年2月10日(2004.2.10)
【手続補正１】
【補正対象書類名】図面
【補正対象項目名】全図
【補正方法】変更
【補正の内容】
【図１】
2005144125.tif 000009
【図２】
2005144125.tif 000010
【図３】
2005144125.tif 000011
【図４】
2005144125.tif 000012
【図５】
2005144125.tif 000013
【図６】
2005144125.tif 000014
【図７】
2005144125.tif 000015
【図８】
2005144125.tif 000016
(57)【要約】［課題］長袖のワイシャツ、長袖の下着、スラックス、タオル等、洗濯機で洗濯すると、長い物は水流まかせの動きで、しっかりとねじれ絡まって洗えてないのでは、と思われる状態で、又、脱水時に片寄り心振れが生じ、振動音も発生するし、取出時絡まっていると日常不快を感じ作業をしている。［解決手段］Ｉの字形物を半分に強くＵ字形に折り曲げた状態の弾力を利用したクリップで、長袖のワイシャツ、長袖の下着、スラックス、タオル等、袖と袖、裾と裾を固定し洗濯することで、絡まず洗濯からすすぎまで出来る。【選択図】図１
2005144126.tif 000002
【特許請求の範囲】
【請求項１】
材質は浮力のある物でＵ字形に強く曲がった状態で、挿入口は元の部分より狭く、その弾力を利用した挟み部を持ったクリップで、長袖のワイシャツ、長袖の下着、スラックス、タオル等の袖と袖、裾と裾を挟み固定することにより、洗濯物が絡まないクリップ。
【請求項２】
挟み部はアーチ形の切欠を設け、点で保持する複数の歯があり、又、アーチ形の切欠は、挟む力を損なわない程度に出来るだけ深くしたことを特徴とした請求項１記載の洗濯物が絡まないクリップ。
【請求項３】
挿入口は洗濯物を挿入し易くするため、先端上部を外側に曲げ開いたことを特徴とした請求項１記載の洗濯物が絡まないクリップ。
【発明の詳細な説明】
［技術分野］
【０００１】  本発明は洗濯機内で洗濯物の絡みを防止するクリップ
［背景技術］
【０００２】  従来、ネット類が利用され絡みは解消されている。しかし、煩雑な状態ででは困難である。このクリップを使用することで絡まずに洗濯が出来る。クリップ使用例は従来の方法では見当らない。
［発明の開示］
［発明が解決しようとする課題］
【０００３】  長袖のワイシャツ、長袖の下着、スラックス、タオル等、洗濯機で洗濯中上記の長い物は水流まかせの動きで、しっかりとねじれ絡まって、洗えてないのでは、と思われる状態である。又、脱水時に片寄り心振れが生じ、振動音も発生する。この絡まっている状態の洗濯物の取出し時、日常不快を感じながら作業をしている。
［課題を解決するための手段］
【０００４】  以上述べた問題点、Ｉの字形の物を半分にＵ字形に強く折り曲げた状態、図１、図３に示す。よって挿入口０３は元の部分より狭く、その弾力を利用した４本の棒を挟み部０１とし、アーチ形の切欠部を設け図１、図３、点で保持する複数の歯０４とする。又、洗えない思われる箇所を少なくするための理由もあるので切欠は挟む力を損なわない程度に出来るだけ深くしたクリップで長袖のワイシャツ、長袖の下着、スラックス、タオルなどの袖と袖裾と裾を挟み固定図５、図６、図７、することにより絡まず洗濯から、すすぎまで出来る。
【０００５】  形状は２連形状であるが、１連形状でも保持力が充分であれば、２連形状でなくてもよい。
【０００６】  生地の薄地用、厚地用たとえば、スラックスの裾のダブル折り加工してある物と、２種類を要する。
［発明の効果］
【０００７】  長袖のワイシャツ、長袖の下着、スラックス、タオル等、洗濯機で洗濯中上記の長い物は水流まかせの動きでしっかりとねじれ絡まって洗えてないのでは、と思われる状態であるが、袖と袖、裾と裾を図５、図６、図７、クリップで固定することにより、動きが制約され、洗いからすすぎまで絡まず洗濯が出来る。
【０００８】  １点に付き１個使用することで洗いからすすぎまで絡まずに洗濯が出来る。
［発明の実施するための最良の形態］
【０００９】  本発明は、図５、図６、図７に示すように袖と袖、裾と裾を挟み固定することで洗濯物の絡みを防ぐもので、挟むには洗濯バサミがあるが、金属製の部品があり、錆を生じ良くない。挟み部は密着した状態で洗えない箇所となる。又、それよりも増して、つまみ部分が生地よりはみ出してしまうので洗濯バサミ同士絡まって脱落したり、洗濯機漕内に当たりこすれたりして不具合である。
【００１０】  材質は浮力のある硬質プラスチックで成形品とする。万一不可の力が生じ滑落した場合、沈んでしまうと洗濯機漕内を破損もしくは傷付けてしまう。又、すれ当たる雑音発生の防止となる。Ｉの字形の物を半分に強く曲げた状態図１、図３の形状にする。
【００１１】  挟み部０１は三角形図４断面図に示すものとし、アーチ形で切欠きを設け点で保持する複数の歯０４とする。滑り止めと、洗えないのではと思われる箇所を少なくするため、アーチ形の切欠は挟む力を損なわない程度に出来るだけ深くする。挿入口は先端上部図３を外側に曲げ開き挿入しやすくする。
【００１２】  図１、図２、図３に示すように、横曲がり脱落防止のため２連形状であるが、保持力が充分あれば１連形状で必ず２連形状でなくてもよい。
【００１３】  生地の薄地用、厚地用たとえば、スラックスの裾のダブル折り加工してある物と、２種類を要する。
【図面の簡単な説明】
【００１４】
【図１】本発明の実施形態を示す斜視図
【図２】本発明の実施形態を示す平面図
【図３】本発明の実施形態を示す側面図
【図４】図３におけるＡＡ断面図
【図５】本発明の実施形態に係るクリップを洗濯物に適用した図
【図６】本発明の実施形態に係るクリップを洗濯物に適用した図
【図７】本発明の実施形態に係るクリップを洗濯物に適用した図
【符号の説明】
【００１５】  ０１  挟み部
０２  上部
０３  挿入口
０４  歯
【図１】
2005144126.tif 000003
【図２】
2005144126.tif 000004
【図３】
2005144126.tif 000005
【図４】
2005144126.tif 000006
【図５】
2005144126.tif 000007
【図６】
2005144126.tif 000008
【図７】
2005144126.tif 000009
(57)【要約】      （修正有）【課題】送風機にて略球状の物を空中浮遊させる玩具において、略球状の浮遊物の真下に何もない状態を演出して視覚的面白さを表現できる物を提供する。【解決手段】本玩具は送風機から出る風の方向を垂直方向に対し斜めに傾けて、略球状の物を空中に浮遊させるため、その略球状の物の真下には何もない状態を演出できる。風の方向が斜めでも略球状の物の体積と質量、送風機の風量と速度のある一定の関係を保つ事により空中に浮遊停止できる。【選択図】図２
2005144124.tif 000002
【特許請求の範囲】
【請求項１】
送風機によって略球状の物を吹き上げ、空中に固定浮遊させる玩具において、送風機の風の方向を垂直より１０度以上傾けたことを特徴とする。
【請求項２】
送風機によって略球状の物を吹き上げ、空中に固定浮遊させる玩具において、送風機の風の方向や位置を垂直方向や水平方向に自由に動かせ得る事を特徴とする。
【請求項３】
送風機によって略球状の物を吹き上げ、空中に固定浮遊させる玩具において、その風の方向を垂直より１０度以上傾けても、略球状の浮遊物の体積と質量等と送風機の風量と風速等をある一定の関係にすると浮遊物は空中にある程度の振動または回転を伴って停止させることができ、その浮遊物の下方に送風機等の装置がなくても浮遊している状態を演出できることを特徴とする。
【発明の詳細な説明】
【技術分野】
【０００１】この発明は略球状の物を空中浮遊させる玩具に関する。
【背景技術】
【０００２】  従来、送風機にて球状の物を空中浮遊する玩具は存在したが、いずれも風の方向は垂直方向に固定された形となっており、視覚的面白さに欠けていた。【０００３】  また、空中に浮遊させた球状の物を移動させることもほとんどなく浮遊させる位置を固定された状態だった。
【発明の開示】
【発明が解決しようとする課題】
【０００５】  送風機にて略球状の物を空中浮遊する玩具は風の方向が垂直方向に固定された形になっているため、単純に下から吹いてくる風に球が浮かされている状態を表現しているだけで面白くない。また、浮遊している物を上下あるいは左右方向に移動させる機構はなく、遊べる自由度が少なかった。
【課題を解決するための手段】
【０００６】  本発明の玩具は風の方向を斜めに傾けて、略球状の物を空中に浮遊させるため、その略球状の物の真下には何もない状態を演出でき、視覚的面白さを表現できる。また、風の方向や位置を変更できるような装置をつけ、空中に浮遊している略球状の物を浮いたまま移動させる。
【発明の効果】
【０００９】  この玩具であれば、見ている人がどうして空中浮遊していられるのか理解できず、驚き等の感動を与える事ができる。また、風の方向を変更できる装置によって空中に浮いたまま移動すると言う不思議な感じを作り出せる。
【発明を実施するための最良の形態】
【００１０】［実施例］
図１に示すように送風機本体１から出る風の方向を垂直方向に対し１０度以上に斜めに吹出させ、略球状の浮遊物２を空中に浮遊させる。送風機本体１から出る風の風速と風量、略球状の浮遊物２の体積と質量等をある一定の関係にすると空中にある程度の振動や回転をともなって停止していられる。また、その関係を更に微調整する事により略球状の浮遊物２を回転させずに停止することも可能である。【００１１】本実施例の送風機本体１は駆動モータが直流１２Ｖ、０．４５Ａの仕様で、ファンが約１０００回転（ｒｐｍ）〜５０００回転で駆動する直径約７３ｍｍのシロッコタイプである。また略球状の浮遊物２は直軽約３５ｍｍの発砲スチロールで中空構造となっている。  送風機本体１の吹き出し口から先細りの円筒４を取りつけ、吹き出す風の速度を高めることにより略球状の浮遊物を安定的に空中停止できるように調整している。【００１２】  図２は送風機本体１を見せない様にカモフラージュして、見ている人がどうして球状の物が空中浮遊しているか解からないように演出した遊具の実施例断面図である。送風機１を送風機のカモフラージュ用容器３の中に入れ、送風機１から先細り円筒４を介して風を出して略球状の浮遊物２を空中浮遊させる。図３はその斜視図である。この様に送風機本体１を見せない様に演出する事により、見ている人はどうして略球状の浮遊物２が空中に停止しているのか理解できず、不思議にみえるのである。【００１３】  図４は球状の浮遊物を移動させる実施例で、地球のまわりを月が回る玩具である。回転可能な送風機本体８から送風機の風の円筒出口７を介して風を噴出させ、月に見たてた浮遊物６を空中に浮遊させる。その状態において回転可能な送風機本体８を矢印の方向へゆっくりと回転させると月に見たてた浮遊物６はその回転に追従して地球の模型５のまわりを点線の矢印の方向に回る。
【図面の簡単な説明】
【００１４】
【図１】本発明の実施例に係る、球状の物を空中浮遊させる玩具の原理図。
【図２】同実施例に係る、送風機を見えないようカモフラージュした実施例の断面図。
【図３】同実施例に係る、図２の斜視図。
【図４】同実施例に係る、空中浮遊させる玩具において球状の物を移動させた実施例の斜視図。
【符号の説明】
【００１５】  １…送風機本体、２…略球状の浮遊物、３…送風機のカモフラージュ用容器、４…先細り円筒、５…地球の模型、６…月に見たてた浮遊物、７…送風機の風の円筒出口、８…回転可能な送風機本体。
【図１】
2005144124.tif 000003
【図２】
2005144124.tif 000004
【図３】
2005144124.tif 000005
【図４】
2005144124.tif 000006
(57)【要約】【課題】  スポンジたわしに摘み部を設け、吸盤を取り付けたクリップで、摘み部を挟み、シンクの内壁に吊るすことにより、邪魔物で不潔がちなスポンジラックを、不要とし、取り除いたことにより、掃除の手間が省け、又調理場が清潔になったこと。【解決の手段】  スポンジたわし（１）に、クリップで挟める摘み部（２）を設けたことを特徴とする。【選択図】  図１
2005144101.tif 000002
【特許請求の範囲】
【請求項１】
スポンジたわし（１）にクリップで挟める摘み部（２）を設けたスポンジたわし。
【発明の詳細な説明】
【発明の詳細な説明】
【技術分野】
【０００１】  この発明は、スポンジたわしにクリップで挟める摘み部を設けた、スポンジたわしに関する考案である。
【背景技術】
【０００２】  従来スポンジたわしには、摘み部はなく、食器などを洗った後は、スポンジたわしを収納するのに、スポンジラックに収納していた。スポンジたわしの収納用のラックは調理台のシンク周りに取り付けられたり置かれたりして、シンクを狭くし、調理するのに何かと邪魔物であり、又ラックやその周りは、水垢で汚れやすく掃除が大変で、不潔になりやすく、そのために主婦に余分な手間を取っていた。
【発明が解決しようとする課題】
【０００３】本発明は、シンク周りに取り付けられたり、又置かれた邪魔物のスポンジ収納ラックを不要なものとして、取り除くための解決の手段として考えられたものである。
【課題を解決するための手段】
【０００４】スポンジたわし（１）にクリップで挟める摘み部（２）を設けることを考案した切っ掛けは、先に出願した、出願番号  特願２００３−３７３４４５  吸盤を取り付けたクリップに、スポンジたわしの摘み部を、クリップで挟んで保持し、シンクの内壁に吸盤を用いて吊り下げることが可能であることを確認したためである。スポンジに不織布を張りつけたスポンジたわしは、不織布の一方を摘み部としてクリップで挟める分程の、摘み部を設ける。又スポンジにネットを被せたスポンジたわしは、ネットの後始末された縫い付け部分を、摘み部として使用する。
【発明を実施するための最良の形態】
【０００５】  本発明を使用するときは、先に出願した  特願  ２００３−３７３４５５の吸盤を取り付けたクリップを必要とし、スポンジたわしに設けた摘み部をクリップで挟み、保持して、シンクの内壁に吸盤を用いて吊り下げる仕組みである。
【発明の効果】
【０００６】  スポンジたわしに摘み部を設け、吸盤を取り付けたクリップで、食器を洗った後のスポンジたわしを、シンク内壁に吊り下げることにより、従来使われていたスポンジラックが不要となり、ラックを取り除くことにより、シンク周りが広く使え、又シンク周りに取り付けられていたラックの頑固な水垢汚れの、掃除の手間が省け、調理場が清潔になった。
【図面の簡単な説明】
【図１】    本発明の正面見取図
【図２】    本発明の側面見取図
【図３】    本発明の実施図  吸盤を取り付けたクリップで、スポンジたわしの摘み部を挟み吊り下げた図
【符号の説明】
１  ビニールたわし
２  クリップで挟める摘み部
【図１】
2005144101.tif 000003
【図２】
2005144101.tif 000004
【図３】
2005144101.tif 000005
(57)【要約】【課題】  馬の背中に跨がるような形をして、幼児から大人まで安全にしかも安心して遊びながら健康を維持することができるものはないか。【解決手段】  上部が湾曲して底辺は平らで奥行きが細長い柱の形をしたもので、家庭用、スポーツ用具、屋外に設置する遊具に用いることができ、素材を空気袋にした場合、布、綿、スポンジ、ウレタン、ゴム、合成樹脂、合成繊維、などの有機化学素材、または木材、石、金属などの骨組みにカバーしたものなど様々な素材を利用することができ、馬の頭部または尻尾を飾り付けすることもできる。【選択図】  図１
2005144110.tif 000002
【特許請求の範囲】
【請求項１】
上部が湾曲して底辺は平らで奥行きが細長い柱の形をしたもので、その大きさは家庭用では高さ７００ｍｍ幅７００ｍｍ奥行き９００ｍｍ前後が適当であり、スポーツ用具としては高さ、幅、奥行きがそれぞれ１００ｍｍ〜２０００ｍｍ前後が適当であり、屋外に設置する遊具としては奥行きの長さに制限はなく素材を空気袋にした場合、布、綿、スポンジ、ウレタン、ゴム、合成樹脂、合成繊維、などの有機化学素材、または木材、石、金属などの骨組みにカバーしたものなど様々な素材を用いることができ、家庭用及びスポーツ用具の場合上下に分割されていたり、分割されたものを一体化させたり、持ち運びの楽なように前後に取り手を付けたり、馬の頭部または尻尾など飾り付けすることも考えられることを特徴とする馬乗りクッションと逆流防止弁の仕組み。
【請求項２】
素材に空気袋を用いた場合は空気取り入れ口が設けられ、空気の漏れが無いように逆流防止弁が取り付けされる。空気取り入れ口本体は円筒形で入り口はやや狭く、内部に向かうと斜めに拡大された傾斜部があり、出口は入り口より大きく広がり蓋が設けられ、その蓋には通路となる穴が数箇所設けられている。逆流防止弁は斜めに拡大された傾斜部に当たるように中空の円錐部を持ちそこから棒状部が入り口まで突き出ている。また素材としては金属、ゴムまたは、合成樹脂、合成繊維などの化学製品で作ることができ、この逆流防止弁の仕組みは気体の他に液体の逆流防止弁にも使うことができ、サイズを大きくしたり小さくすることで色々なポンプの弁として用いることができることを特徴とする請求項１記載の馬乗りクッションと逆流防止弁の仕組み。
【発明の詳細な説明】
【技術分野】
【０００１】  上部が湾曲して底辺は平らで奥行きが細長い柱の形をしたものを使用し、家庭用、スポーツ用具、屋外に設置する遊具にもなり、背中を押し付けたり、跨がるだけで体の血行を良くすることができる馬乗りクッションと逆流防止弁の仕組みに関する。
【背景技術】
【０００２】  従来の技術で、このような形をした物は跳び箱しか見当たらない。ここでは跳び箱（特許文献１参照）について説明する。跳び箱は飛び越えるための物であり跨がることを目的とはしていない。
【特許文献１】  特開２０００−３００６８９号公報（第４頁、図１）
【発明が解決しようとする課題】
【０００３】  馬の背中に跨がるような形をして、幼児から大人まで安全にしかも安心して遊びながら健康を維持することができる物はないだろうか。
【課題を解決するための手段】
【０００４】  上記の目的を達成する為に本発明である、馬乗りクッションと逆流防止弁の仕組みは、上部が湾曲して底辺は平らで奥行きが細長い柱の形をしたもので、その大きさは家庭用では高さ７００ｍｍ幅７００ｍｍ奥行き９００ｍｍ前後が適当であり、スポーツ用具としては高さ、幅、奥行きがそれぞれ１００ｍｍ〜２０００ｍｍ前後が適当であり、屋外に設置する遊具としては奥行きの長さに制限はなく素材を空気袋にした場合、布、綿、スポンジ、ウレタン、ゴム、合成樹脂、合成繊維、などの有機化学素材、または木材、石、金属などの骨組みにカバーしたものなど様々な素材を用いることができ、家庭用及びスポーツ用具の場合上下に分割されていたり、分割されたものを一体化させたり、持ち運びの楽なように前後に取り手を付けたり、馬の頭部または尻尾など飾り付けすることも考えられることを特徴とする。
【０００５】  また本発明の、馬乗りクッションと逆流防止弁の仕組みの素材に空気袋を用いた場合は空気取り入れ口が設けられ、空気の漏れが無いように逆流防止弁が取り付けされる。その場合既存の方法を用いるが、以下の方法を用いる。空気取り入れ口本体は円筒形で入り口はやや狭く、内部に向かうと斜めに拡大された傾斜部があり、出口は入り口より大きく広がり蓋が設けられ、その蓋には通路となる穴が数箇所空けられている。逆流防止弁は斜めに拡大された傾斜部に当たるように中空の円錐部を持ち、そこから棒状部が入り口まで突き出ている。また素材としては金属、ゴムまたは、合成樹脂、合成繊維などの化学製品で作ることができ、この逆流防止弁の仕組みは気体の他に液体の逆流防止弁にも使うことができ、サイズを大きくしたり小さくすることで色々なポンプの弁として用いることができることを特徴とする。
【０００６】  また本発明の、馬乗りクッションと逆流防止弁の仕組みでは、馬乗りクッションに背中を押し付けたり、跨がることで馬の背中に乗った状態を作り、人体の大腿動脈と大腿静脈に作用して血行を良くし、股下の筋肉も柔らかく解してくれる作用があり健康な体を作るうえで大切な要素をもっている。
【発明を実施するための最良の形態】
【０００７】  図１は本発明の、馬乗りクッションと逆流防止弁の仕組みの好適な実施の形態を示したもので、一つの例として素材に空気袋を用いたものである。図２は逆流防止弁の仕組みの内部構造拡大図である。【０００８】  図１は上側に半円形柱１があり下側に長方形柱２が一体成形なされ、それぞれに空気取り入れ口本体３が設けられている。【０００９】  図２の空気取り入れ口本体３は、空気の入り口３１から内部に向かうと斜めに拡大された傾斜部３２があり、入り口３１より大きく広がり蓋３３が設けられ、その蓋３３には通路となる出口３４が数箇所空けられている。逆流防止弁４は斜めに拡大された傾斜部３２に当たるように円錐部４１を持ちそこから入り口３１まで棒状部４２が突き出ている。空気圧力が入り口３１から入り出口３４を通り内部圧力が高められる。圧力が高くなると円錐部４１は入り口３１の方向に押されて傾斜部３２と密着する逆流防止弁の仕組みである。
【発明の効果】
【００１０】  以上説明したように、本発明の馬乗りクッションと逆流防止弁の仕組みを使用することで、幼児から大人まで気軽に健康維持することができる商品を提供することができる。
【図面の簡単な説明】
【図１】本発明の馬乗りクッションと逆流防止弁の仕組みに空気袋を用いた外見図。
【図２】本発明の馬乗りクッションと逆流防止弁の仕組みの逆流防止弁の内部拡大図。
【符号の説明】
１    半円形柱
２    長方形柱
３    空気取り入れ口本体
４    逆流防止弁
３１  入り口
３２  傾斜部
３３  蓋
３４  出口
４１  円錐部
４２  棒状部
【図１】
2005144110.tif 000003
【図２】
2005144110.tif 000004
(57)【要約】【課題】  無理な態勢をせず両眼同時に、容易に眼球、及び、眼の中の洗浄を行うため、洗浄液を満たしたキャップの底に取り付けた撹拌部材（図１−４）を電力を用いて回転させて生じた流れの勢いを直接眼球にあてることにより眼球、及び、眼の中の洗浄を容易に行うことのできるアイ・ウォッシュを提供する。【解決手段】  洗浄液を満たしたキャップＡとＢ（図１−２、３）の底に、それぞれ取り付けた撹拌部材（図１−４）を電力を用いて回転させて生じた流れの勢いを直接眼球にあてることにより眼球、及び、眼の中の汚れを両眼同時に容易に洗浄できるようにする。【選択図】  図１
2005066259.tif 000002
【特許請求の範囲】
【請求項１】
本体に設けられた二つのキャップに洗浄液を満たし眼を押し当てて、スクリュー回転により生じた流れが勢いよく直接眼球にあたることにより、眼球、及び、眼の中の汚れを除去できるアイ・ウォッシュ。
【請求項２】
縁部を眼の周囲の押し当てて洗浄液を収納するキャップと、このキャップ内に設けられ、前記洗浄液を撹拌する撹拌部材であるスクリューとを設けることを特徴とするアイ・ウォッシュ。
【発明の詳細な説明】
【発明の詳細な説明】
【技術分野】
【０００１】本発明は、眼の中の汚れ、主に眼球の汚れを容易に洗い流すため、洗浄液を満たしたキャップの底に取り付けた撹拌部材（スクリュー）を電力を用いて回転させ、生じた流れを勢いよく眼球にあてることにより、眼球、及び眼の中の洗浄を行うものである。
【背景技術】
【０００２】従来は、専用キャップに数ミリほど洗浄液を入れたものを目に押し当てたまま上向きになり、そのままの姿勢でまばたきを数回くり返し行い洗浄していた。
【発明が解決しようとする課題】
【０００３】従来の方法は単純な作業ではあるが、洗浄液の入ったキャップを目に押し当てたまま上向きになり、そのままの姿勢でまばたきを数回くり返す行為は無理があり、とくに体の不自由な方やお年寄りの方にとっては苦痛であり困難である。又、片方ずつの洗浄しかできず、しかも、その都度キャップの洗浄もしなければならない事等、目を洗うという目的以外の行為が多いという難点があった。本発明はこれらの課題を解決する為になされたものである。
【課題を解決するための手段】
【０００４】洗浄液を満たしたキャップに眼を押し当てて、そのままスイッチＯＮにするだけで、スクリュー回転により生じた流れを眼球に直接勢いよくあてて洗浄するので、無理な態勢でまばたきをくり返したりせず容易に眼球、及び眼の中の洗浄が両眼同時にできる。又、眼球にあてる洗浄液の流れの勢いも調節でき、しかも、生活防水型なので使用後のお手入れも簡単である。
【発明を実施するための最良の形態】
【０００５】以下、本発明の実施の形態について説明する。
（イ）．第２のキャップＢ（図１−３）を動かして第１のキャップＡ（図１−２）との間隔を使用者の両眼の間隔に合わせる。この時、二つのキャップ（図１−２、３）の底にある撹拌部材（図１−４）の位置と眼球の中心とが会う様それぞれ調節する。
（ロ）．キャップＡとＢ（図１−２、３）に洗浄液を満たし両眼を押し当てて、電源スイッチ（図１−６）をＯＮにして洗浄を開始する。そして調節スイッチ（図１−５）で眼球に当る洗浄液の勢いを調節する。
【発明の効果】
【０００６】スクリュー回転により生じた洗浄液の流れの勢いを直接眼球に当てることにより今まで以上の洗浄効果が得られる。又、両眼同時に無理な態勢をせずに簡単に洗浄でき、しかも、一人一人の両眼の間隔に調節できるので大人も子供も使用できる。
【図面の簡単な説明】
【図１】  本発明の一実施例であるアイ・ウォッシュの平面図、正面図、側面図である。
【符号の説明】
１    アイ・ウォッシュ本体
２    キャップＡ
３    キャップＢ
４    撹拌部材（スクリュー）
５    調節スイッチ
６    電源スイッチ
【図１】
2005066259.tif 000003
(57)【要約】【課題】顔の歪み具合を容易に具体的に把握し、確認するための、ゆがみ顔チェックスケールを提供する。【解決手段】垂直、水平、斜めなどの基準線が引かれた透明な板を顔の前に置き固定し、そのまま鏡を見ることで、顔を正確に分割し、目、眉、鼻、口、顎、耳、などの顔を構成する各パーツの位置関係を正確に把握し、左右のバランス、顔のゆがみ具合を具体的に確認できることを特徴とする、ゆがみ顔チェックスケール。【選択図】図１
2005066255.tif 000002
【特許請求の範囲】
【請求項１】
垂直、水平、斜めなどの基準線が引かれた透明な板を顔の前に置き固定し、そのまま鏡を見ることで、顔を正確に分割し、目、眉、鼻、口、顎、耳、などの顔を構成する各パーツの位置関係を正確に把握し、左右のバランス、顔のゆがみ具合を具体的に確認できることを特徴とする、ゆがみ顔チェックスケール。
【請求項２】
透明な板のぶれを防ぐため、顔に透明な板を固定させるための固定具を設けてなる請求項１のゆがみ顔チェックスケール。
【請求項３】
透明の板と顔面の距離を近付けるため、透明の板に鼻がぶつかるのを回避するための穴を透明の板部分に設けてなる請求項１あるいは請求項２のゆがみ顔チェックスケール。
【請求項４】
基準線に目盛り設けてなる請求項１ないし請求項３いずれか一項記載のゆがみ顔チェックスケール。
【発明の詳細な説明】
【技術分野】
【０００１】  本発明は、透明な板に垂直、水平などの基準線を設け、簡単に顔のゆがみ具合を具体的に確認するための、ゆがみ顔チェックスケールに関するものである。
【背景技術】
【０００２】  従来、顔のゆがみはあまり認知されていないか、認知されていても何となく、漠然と把握されていた。
【発明の開示】
【発明が解決しようとする課題】
【０００３】  そのために、次のような問題点があった。
（イ）顔のゆがみ具合を把握し、具体的に確認することができなかった。
（ロ）化粧などで顔のゆがみを補正しようとしてもガイドラインがなく、目測で補正するしかないため、大変難しい作業になっていた。
本発明は以上のような問題点を解決しようとするものである。
【課題を解決するための手段】
【０００４】  垂直、水平、斜めなどの基準線が引かれた透明な板を顔の前で固定し、そのまま鏡を見ることで、顔を正確に分割し、目、眉、鼻、口、顎、耳、などの顔を構成する各パーツの位置関係を正確に把握し、左右のバランス、顔のゆがみ具合を具体的に確認できることを特徴とする、ゆがみ顔チェックスケール。
【発明の効果】
【０００５】  簡単に顔の歪みが把握、確認でき、化粧よる補正、および顔のストレッチ、マッサージを行う上での指針になる。
【発明を実施するための最良の形態】
【０００６】  以下、本発明の実施形態について説明する。
（イ）透明の板（１）に垂直、水平、斜めなどの目盛り付きの基準線（２）を設ける。
（ロ）透明の板（１）のぶれを防ぐため、顔に透明の板（１）を固定するための固定具（３）を設ける。
（ハ）透明の板（１）に鼻がぶつかるのを防ぐ為の穴（４）を設ける。
本発明は以上の構成よりなっている。
透明の板（１）の穴（４）に鼻を通し、顔にボードを固定するための固定具（３）の補助により基準線（２）の中の中心線を顔の中心垂直線上に固定する。
なるべく透明の板（１）と鏡が平行になるよう注意して鏡を見ることで、顔の歪み具合を正確に把握し、確認できる。
また、他人に確認してもらってもよい。
【図面の簡単な説明】
【０００７】
【図１】本発明の斜視図
【図２】本発明の使用状態を示す斜視図
【図３】本発明の正面図
【図４】本発明の側面図
【符号の説明】
【０００８】１  透明の板
２  基準線
３  固定具
４  穴
【図１】
2005066255.tif 000003
【図２】
2005066255.tif 000004
【図３】
2005066255.tif 000005
【図４】
2005066255.tif 000006
(57)【要約】【課題】市販のスリッパやサンダル等のかかとを固定しない履物は歩行中にかかとが浮き上がり、運動に不向きで長時間使用していると疲労を感じることがある。【解決手段】市販の履物にも使用可能なかかとを固定するバンドを取り付けることにより、これを解決する。【選択図】図１
2005066258.tif 000002
【特許請求の範囲】
【請求項１】
市販のスリッパやサンダル等のかかとを固定しない履物に、簡単に着けられることを特徴とするかかを固定するバンド部分と、それを履物本体に固定するクリップ部分とで構成される物である。
【発明の詳細な説明】
【技術分野】
【０００１】本発明は、市販のスリッパやサンダル等のかかとを固定しない履物に簡単に取り着けられ、運動性を高める為の着脱式かかと固定バンドに関する。
【背景技術】
【０００２】市販されているスリッパやサンダル等は、履きやすく脱ぎやすいことに重点がおかれており、運動にはまったく不向きである。
【発明の開示】
【発明が解決しようとする課題】
【０００３】スリッパやサンダル等はかかとが固定されておらず、歩行中にかかとが浮き上がり、長時間使用していると疲労を感じることがある。
【課題を解決するための手段】
【０００４】市販のスリッパやサンダル等のかかとを固定しない履物に、簡単に着けられることを特徴とするかかを固定するバンド部分と、それを履物本体に固定するクリップ部分とで構成される物である。
【発明の効果】
【０００５】本発明の着脱式かかと固定バンドを使用すれば、市販のかかとを固定しない履物でも必要に応じて運動性能を向上させることができる。【０００６】また、歩きやすくなることにより、疲労を軽減させることにもなる。【０００７】必要のない場合は簡単に取り外すことができる為、その履物本来の履きやすく脱ぎやすいという性質も損なうことがない。
【発明を実施するための最良の形態】
【実施例】
【０００８】ゴムやマジックテープ等の伸縮する物や、長さを調節できるバンド部とその両端に履物本体に固定する為のクリップ部によって構成される。【０００９】図面にはバンド部にかかとを保護する為のカバーを記載してあるが、カバーがなくても運動性は向上できる。
【図面の簡単な説明】
【００１０】
【図１】本発明の着脱式かかと固定バンドの簡単な斜視図である。
【図２】本発明のスリッパでの実施例である。
【符号の説明】
【００１１】１  クリップ部
２  バンド部
３  カバー
４  市販のスリッパ
【図１】
2005066258.tif 000003
【図２】
2005066258.tif 000004
(57)【要約】【課題】  誰でも簡単に、自分の体形に合うように、自分の手で高さや、たわみや、硬さを調整できる枕を提供する。【解決手段】  台枠１と、その左右に立ち上げた一対の脚フレーム２、２と両フレーム２、２の間に、前後方向に平行に並べて、架橋した複数本のベルト３とよりなり、かつ前記ベルト３は、その高さと長さを、可変する可変手段Ｈ、Ｌを備えていることを特徴とする枕。【選択図】  図１
2005066254.tif 000002
【特許請求の範囲】
【請求項１】
台枠と、その左右に立ち上げた一対の脚フレームと、両フレームの間に、前後方向に平行に並べて、架橋した複数本のベルトとよりなり、かつ前記ベルトは、その高さと長さを可変する可変手段を備えていることを特徴とする枕。
【発明の詳細な説明】
【発明の詳細な説明】
【発明が属する技術分野】
【０００１】  本発明は、枕に関するものである。
【背景技術】
【０００２】  従来の枕は、普通布製の袋の中に蕎麦殻や発泡剤その他色々な芯材を適量に充填したものである。
【発明が解決しようとする課題】
【０００３】  然し、従来の枕では、よく眠れる人ばかりではない。眠れない人も少なくない。なかには、従来の枕では、どうしても自分の体形に合わないので、特注で求めている人もいる状態である。
本発明は、このような従来の問題点を解決することを目的に、誰でも簡単に自分の体形に合うように自分の手で高さや、たわみや、硬さを調整できる枕を提供しようとするものである。
【課題を解決するための手段】
【０００４】  上記の目的を達成するために、本発明が提供する枕は、台枠と、その左右に立ち上げた一対の脚フレームと、両フレームの間に前後方向に平行に並べて架橋した複数本のベルトとよりなり、かつ前記ベルトはその高さと長さを可変する可変手段を備えていることを特徴とするものである。
【発明を実施するための最良の形態】
【０００５】  以下、発明の実施の形態を、実施例によって、図１〜図４を参照しながら説明する。
図において、１は、台枠、２、２はその左右に立ち上げた脚フレームである。３は、両フレーム２、２の間に高さ調整器Ｈを介して架橋したベルトである。この実施例では、３本である。高さ調整器Ｈは、脚フレーム２、２に取付けたネジ取付け金具４と、この金具４、４に取付けた蝶ネジ５、５とにより構成されている。
ベルト３の両端は、蝶ネジ５、５に螺合したナット６に取付けられている。ベルト３の長さは、長さ調整器Ｌによって調整される。ベルト３、３の高さは、蝶ネジ５、５を回すことによって可変できる。ベルト３、３の長さ（たわみや、硬さ）は、長さ調整器Ｌのバンド７の雌ネジ８に螺合されたネジ９を回すことによって可変できる。
１０は、ベルト３、３と脚フレーム２、２の上から被せる枕カバーである。
【発明の効果】
以上説明したように、本発明の枕は、上述のような構成としたので、自分の好みに合わせて、高さや、たわみや、硬さを加減でき、グッスリ眠ることができる。
【図面の簡単な説明】
【図１】  実施例の枕の斜視図である。
【図２】  図１の側面図である。
【図３】  図２のベルトの長さ調整器の拡大図である。
【図４】  実施例の枕に被せる枕カバーの斜視図である。
【符号の説明】
１  台枠
２  脚フレーム
３  ベルト
４  ネジ取付金具
５  蝶ネジ
６  ナット
Ｈ  高さ調整器
Ｌ  長さ調整器
７  バンド
８  雌ネジ
９  ネジ
１０  枕カバー
【図１】
2005066254.tif 000003
【図２】
2005066254.tif 000004
【図３】
2005066254.tif 000005
【図４】
2005066254.tif 000006
(57)【要約】〔課題〕  洗濯物が天候の変化で  雨滴や水滴で濡れたり物干しの場所を移動したりせずにそのまま干し物ができるようにするとともに、ごみやほこり汚れや人の目から洗濯物が守られるようにする〔解決手段〕  両端がくち開きの筒状をした防水性の薄膜や不透水性のフイルムで  洗濯物をすっぽりと覆い包んで物干しフック２の下部で、薄膜フイルムの二重折り返し３をして上層と下層の二重部分を作るそこを止め具ピンチ４で締め止める上層の薄膜フイルム６の先端を止め具ピンチ９で下層８に先端がずれたり移動したりしないよう挟み止める二重折り返し部分３の外気と接する外側接点を防水テープ５で防水をする折り返し部分３と上層の先端止め具ピンチ９との位置の傾斜により傘の動きが得られて雨雪の水滴を裾末端部１０へと流し落とすこの上層の薄膜フイルム６の傘の働きにより下層の薄膜フイルムに開いて有る通気孔通気口７は水漏れもなく洗濯物の水分蒸発や通気での乾燥をさせる物干しセットである【選択図】  図１
2005066260.tif 000002
【特許請求の範囲】
【請求項１】
筒状をした防水性、不透水性材料の紙布の薄膜、合成樹脂フイルムを円筒形に口ち開きをして洗濯物干の型や、単吊、複数吊や大きさの型状、寸法に合わせて上から下まで、すっぽりと洗濯物の長さ、丈の末端裾部よりも更に長く吊り下げた状態として、物干のフック下部で薄膜フイルムを止め具のピンチで締めて、そこから裾、末端部に向けての折り返しをして二重とする二重にした上層の一重は雨雪の水滴を裾末端部の下方へと流し落とせて雨雪の水滴が除けられる  下層のもう一重の上層と重なる部分には通気孔や通気口が開けて有って、洗濯物の水分蒸発、乾燥をさせる物干セットである
【請求項２】
洗濯物全体が上から下まで覆われるのでごみほこりの附着や色あせ人目から洗濯物を守ることができる
【請求項３】
物干の本体枠組の肩の位置部位に、別個の物干フック部を引っ掛けることができるので、物干２個、２連での物干使用も行える
【発明の詳細な説明】
【発明の詳細な説明】
〔発明が属する技術分野〕
【０００１】  本発明は筒状で両端が口ち開きの防水性不透水性材料での紙布の薄膜合成樹脂フイルムを円筒形に口を開いた状態として洗濯物干の丸型角型直線型や単吊複数吊りや縦横の長さや大小の大きさその型状に合わせて、物干上部の吊下げフック部分から洗濯物の末端裾部よりも更に長く吊り下げた状態にまでして洗濯物が、雨雪の水滴で濡れたりしないように薄膜フイルムを覆い包み被せ、フック下部で止め具ピンチで締め止める、その止め具から裾末端部に向けて薄膜フイル厶を二重になるように折り返しして二重の部分を作る  フック下部の止め具ピンチから二重に折り返した上層の一重のフイルムの先端がずれたり移動したりを防ぐため下層のもう一重とピンチで挟み込み移動やずれたりしないようにする
フック下部で二重に折り返しをしたフイルム薄膜と物干本体との接点隙間からの雨水の漏水防止、水切りテープの張付をすることにより水漏を防ぐようにする
〔従来の技術〕
【０００２】  洗濯物を風や汚れ、周囲の視線から見えにくくしたり、角形ハンガーをファスナー利用での覆いをする物干しカバー等で洗濯物を守ったり外に出したり入れたりの手間を省くものであるが干し物の洗濯物が天候の変化に左右されて雨滴や雪などの水滴で濡れるのを防ぐのには、水漏のする上辺部に覆いの空間があるなど隙間や接点での防水が不充分であった
〔特許文献１〕
特開２００２−３６０９９４号公報
〔発明が解決しようとする課題〕
【０００３】  解決しようとする問題点は、干して有る洗濯物が天候の変化により雨滴や水滴で濡れたりするのを防ぐため洗濯物を干している物干し全体をすっぽりと筒状をした防水性、不透水性の紙布の薄膜やビニールポリエチレン等のフイルムで覆いその覆った物干し本体との接点の外側からの雨滴水滴の漏れをなくすため物干しフック部分での防水をする  一方で水分蒸発の通気孔や通気口での通気をしながら洗濯物が雨滴水滴で濡れずに干し物ができる物干しセットを提供する
〔課題を解決するための手段〕
【０００４】  本発明は両端がくち開きの筒状をした防水性不透水性の紙布の薄膜やビニールポリエチレン等のフイルムを物干しの吊り下げフックの下部の位置で止め具ピンチで締めて止め上層と下層の二重となるよう折り返しをする二重部分が得られる二重に折り返した上層の一重は雨滴や雪の水滴をその表面から、下層のもう一重で内側が洗濯物と接していて、外側は外気に接している薄膜フイルムの表面を伝っての流下流し落しをする  もう一方の下層の一重で内部の洗濯物が雨滴や水滴で濡れないように洗濯物の先端から下部の末端裾部までよりも長く覆い吊り下げをして漏れるのを防ぐ、この下層の薄膜フイルムをフック下部で止め具ピンチで締めて二重にした部分には通気孔や通気口が開けて有って水分蒸発や通気により雨滴水滴が有っても洗濯物が濡れることなく干し物ができる物干セットである
〔発明の効果〕
【０００５】  本発明の効果としては、天候の変化が生じたときにも洗濯物を雨滴や水滴で濡らしたり物干しの場所を移動したりしなくてもそのまま干し物ができる  ごみの附着やほこり汚れや色あせ、人の目から洗濯物を守ることもできる
〔発明の実施の形態〕
【０００６】  １枚の筒状をした薄膜やフイルムを二重になるように折り返しをすると上層と下層の二重の部分が得られる  上層の一重は雨滴や雪の水滴が直接触れて流れ落ちる傘の働きをするものであって  もう一方の下層のもう一重は外気と接する外側の表面で上層からの流れ落ちて来る雨滴や水滴を下層の吊り下げ裾末端部へと流し落としする、折り返しした部分の下層には通気孔や通気口が開けて有って、上層の傘の働きを得て雨滴や水滴の漏れがない位置での通気水分蒸発によっての干し物ができるという目的を最小の加工部位と洗濯物を濡らしたり汚したりせずに軽便な取扱いと省資源の物干しセットを実現した
〔実施例１〕
【０００７】  図１は、本発明装置の１実施例の平面図である
【図面の簡単な説明】
【図１】実施例１の図
【符号の説明】
１  洗濯物干しの本体                      ９  上層の先端止め具ピンチ
２  物干しフック                        １０  下層の吊り下げ裾末端部
３  薄膜フイルムの二重折り返し部分      １１  洗濯物の末端裾部
４  二重折り返し止め具ピンチ            １２  物干し枠組み肩の部分
５  水濡れ防止防水テープ
６  二重折り返し上層の薄膜フイル厶
７  下層の薄膜フイルムの通気孔通気口
８  下層の薄膜フイルム
【図１】
2005066260.tif 000003
(57)【要約】【課題】    便器に付着している汚物を効率良く，且つ使いやすい洗浄用具の提供を目的とする．【解決手段】    ウォータージェット便器洗浄器１から出たジェット水２を便器の底４に付着している汚物３に当ることで汚物を洗い落とす．【選択図】    「図１」
2005066262.tif 000002
【特許請求の範囲】
【請求項１】
便器に付着している便などの汚物をウォータージェットで打ち落とす便器洗浄用具．
【請求項２】
便器本台に設置，または手に持つことのできる汚物洗浄用ウォータージェット用具．
【発明の詳細な説明】
【発明の詳細な説明】
【技術分野】
【０００１】  本発明は，洗浄，特に，便器の洗浄に用いる用具に関するのもである。
【背景技術】
【０００２】  従来，便器に付着している便などの汚物の洗浄は便器専用のブラシやたわしが用いられている．
【発明が解決しようとする課題】
【０００３】  しかし，使用後のブラシやたわしに汚物が付着することがあり，それらの洗浄には手間がかかり，また，洗浄時に濡れたブラシやたわしにカビなどの発生は衛生上の問題がある．
【課題を解決するための手段】
【０００４】  本発明では，洗浄用具と便器に付着している汚物との接触を避け，ウォータージェット（噴射した水）によって洗浄する手段を提案する．
【発明を実施するための最良の形態】
【０００５】  本発明で提案した便器洗浄器は，図１に示す手で持って使用する小型の用具１である．圧力水の供給には水道やウォシュレットのポンプ或いは圧力容器を用いることができる．洗浄時は，洗浄器１からジェット水２を便器の底４に付着している汚物３に当て，それを洗い落とす．
【実施例】
【０００６】  玩具の水鉄砲を用いて便器に付着している汚物を簡単に洗い落とすことができた．
【発明の効果】
【０００７】  本発明の便器洗浄器を使用すれば，便器に付着している汚物を効率よく洗浄することができ，また，洗浄器自体を洗浄する必要がないので使用上は簡便である．
【図面の簡単な説明】
【０００８】
【図１】  ウォータージェット便器洗浄器の洗浄方法を示す説明図である．
【符号の説明】
１  ウォータージェット便器洗浄器本体
２  ウォータージェット便器洗浄器からでるジェット水
３  便器の底に付着している汚物
４  便器の底
【図１】
2005066262.tif 000003
(57)【要約】      （修正有）【課題】従来の洗濯物干しハンガーの作業サイクルの内の取り込み作業の能率の向上と従来の物干しハンガーの機能を高める。【解決手段】ピンチ開口摘まみの一端にＶ字型溝付き小車４を設け、左右ピンチワイヤー３で引き、ピンチ摘まみ部を引き寄せられるようピンチセットフレーム１を設け、上下可動枠に直結した上下可動枠結合ワイヤーを介して、物干し本体枠の一端に上下可動レバーハンドルをもつこと特徴とする。【選択図】図２
2005066269.tif 000002
【特許請求の範囲】
【請求項１】
洗濯物干しハンガーに付設するピンチ解放用つまみ部分左右のそれぞれ一部にＶ字型溝つき小車を設けたもの。
【請求項２】
ピンチ同時解放ものほしハンガーに付設されたピンチを同時開放の為のワイヤー又はテグス等で上した可動の内枠に連結したもの。
【発明の詳細な説明】
【考案の詳細な説明】
【技術分野】
【０００１】この考案は従来の洗濯物干しハンガーの作業サイクルの内の取り込み作業の能率の向上と従来の物干しハンガーの機能を高めるものである。
【背景技術】
【０００２】従来は洗濯物干しハンガーから干し物を取り込む作業はピンチから個個に指先で摘まみ解放することが一般的でしたが、近年物干しハンガーから干し物をまとめて引張って取り込む方式やいまひとつはピンチがハンガー枠のフレームに並列にピンチ端末を貫通させた物とかおりまた。
【考案が解決しようとする課題】
【０００３】洗濯物干しハンガーから干し物を取り込む作業は家事作業の中でも単純作業でありながら煩わしさからストレス発生の一因でもある、近年物干しハンガーには干し物をまとめて取り込む方法が何点かありますが  いずれも衣類に傷が付く恐れがあったり物干しハンガーのセット作業がやりずらいもの等ピンチ同時解放物干しハンガーは以上ののような難題は解決する事を目的としています。
【課題を解決するための手段】
【００４】ピンチ同時解放物干しハンガーは本体枠に付設した上下可動枠に上下可動枠結合ワイヤ▲６▼を完結する事、
ピンチセットフレーム▲１▼はピンチ同時解放ハンガー本体枠に完結することど同時にピンチ右ワイヤー▲３▼同左ワイヤー▲４▼が右左ワイヤー結合部▲５▼をへて可動枠のレバーハンドル▲１０▼の操作によってピンチの開閉が可能になり課題解決の手段となります。
【発明を実施するための最良の形態】
【０００５】ピンチ同時解放物干しハンガーを使用する事は特別な身構えはいらなくて洗濯物干し作業は従来となんら変わらないピンチの前後左右の向きや回転は変わりなく出来る、従来と変わるところは干し物を取り込む作業にあってピンチ同時解放物干しハンガーは上下可動枠ハンドルレバ▲１０▼  を引く事により洗濯物に直接触れずともピンチが同時解放することで従来の物干しハンガーに比較する事で小さな一歩前進ではあるが洗濯物干しハンガーの機能的な前進は大きく見えます。
【図面の簡単な説明】
【図−１】
ピンチ同時解放物干しハンガー全体図
【図−２】
「図−１」に設置のピンチ正面図
【図−３】
「図−１」に設置のピンチ側面図
【符号の説明】
▲１▼・・・・・・・ピンチセットフレー厶
▲２▼・・・・・・・セットフレー厶軸
▲３▼・・・・・・・ピンチ右ワイヤー
▲４▼・・・・・・・ピンチ左ワイヤー
▲５▼・・・・・・・ｖ字型溝付き小車
▲６▼・・・・・・・左右ワイヤー結合部
▲７▼・・・・・・・上下可動枠結合ワイヤー
▲８▼・・・・・・・ハンガー結合部分
▲９▼・・・・・・・物干しハンガー本体の一部拡大図
▲１０▼・・・・・・上下可動枠操作レバーハンドル
【図１】
2005066269.tif 000003
【図２】
2005066269.tif 000004
【図３】
2005066269.tif 000005